(57)【要約】【課題】線材の様々な線径に対応しつつ、取り付けが容易であり、容易にフェンス用の目隠しを作成することが可能な長尺材ホルダを提供する。また、該長尺材ホルダを用いたフェンスの目隠し構造を提供する。【解決手段】長尺材ホルダ５は、柱状または板状の長尺材５が貫通する長尺材貫通孔１１を有する周壁部７と、周壁部７の外側に設けられて、フェンスＦに含まれて横方向に延びる横線材ＨＷに係止される係止構造９とを備えている。係止構造９は、長尺材貫通孔１１が延びる方向に間隔をあけて配置されて正対する一対の係止部２１，２３からなり、一対の係止部２１，２３の一方が、横線材ＨＷに係止される。【選択図】  図１
2018204217.tif 000002
【特許請求の範囲】
【請求項１】
柱状または板状の長尺材が貫通する長尺材貫通孔を有する周壁部と、
前記周壁部の外側に設けられて、フェンスに含まれて横方向に延びる横線材に係止される係止構造とを備えた長尺材ホルダであって、
前記係止構造は、前記長尺材貫通孔が延びる方向に間隔をあけて配置されて正対する一対の係止部からなり、
前記一対の係止部の一方が、前記横線材に係止されることを特徴とする長尺材ホルダ。
【請求項２】
前記係止部は前記周壁部の周方向に間隔をあけて配置され、前記横線材が挿入される開口を正面に備え且つ該開口に連通する線材貫通孔を備えた一対のフック部からなり、
前記一対の係止部は、お互いの前記フック部の前記開口が前記長尺材貫通孔が延びる方向に対向している請求項１に記載の長尺材ホルダ。
【請求項３】
前記一対の係止部の一方の係止部を構成する前記一対のフック部の前記線材貫通孔の直径寸法と、前記一対の係止部の他方の係止部を構成する前記一対のフック部の前記線材貫通孔の直径寸法とが異なる請求項２に記載の長尺材ホルダ。
【請求項４】
前記一対のフック部は、前記フック部の先端部に向かうに従って厚みが徐々に薄くなる形状を有している請求項２に記載の長尺材ホルダ。
【請求項５】
前記長尺材は長手方向と直交する方向の断面形状が矩形状を呈しており、
前記周壁部は、前記長尺材貫通孔が延びる方向に対向し前記長尺材貫通孔を間に介して対向する第１及び第２の側壁部と、前記第１及び第２の側壁部を連結し且つ前記長尺材貫通孔を介して対向する第３及び第４の側壁部とを備えており、
前記一対の係止部は、前記第１の側壁部に一体に設けられている請求項１乃至４のいずれか１項に記載の長尺材ホルダ。
【請求項６】
前記一対の係止部は、それぞれ前記第１の側壁部の前記長尺材貫通孔が延びる方向の両端部に近接して配置されている請求項５に記載の長尺材ホルダ。
【請求項７】
前記長尺材貫通孔を囲む前記第１の側壁部乃至第４の側壁部の内壁面には、それぞれ前記長尺材貫通孔が延びる方向の中央部を頂点領域として前記第１の側壁部乃至第４の側壁部の前記両端部に近付くように傾斜する一対の傾斜面がそれぞれ形成されている請求項５に記載の長尺材ホルダ。
【請求項８】
前記長尺材貫通孔を囲む前記第１の側壁部乃至第４の側壁部の内壁面の中央部には、それぞれ前記長尺材貫通孔の中心部に向かって突出し、且つ、前記長尺材貫通孔が延びる方向に延びる突状リブがそれぞれ形成されている請求項５に記載の長尺材ホルダ。
【請求項９】
横方向に延びる複数本の横線材が上下方向に間隔をあけて配置されているフェンスの側面に沿って、横方向に所定の間隔をあけて複数本の柱状または板状の長尺材が上下方向に延びるように配置されてなるフェンスの目隠し構造であって、
前記フェンスには、１本の長尺材に対して上下方向に間隔をあけて、請求項１乃至８のいずれか１項に記載の長尺材ホルダが２つ配置されており、
前記２つの長尺材ホルダに前記長尺材が挿入されていることを特徴とするフェンスの目隠し構造。
【発明の詳細な説明】
【技術分野】
【０００１】
本発明は、柱状または板状の長尺材の長尺材ホルダ及びこれを用いたフェンスの目隠し構造に関するものである。
【背景技術】
【０００２】
敷地の境界を示す目的や、安全性、防犯性の目的等で、フェンスが設置されている。フェンスには様々な種類があるが、安価で、設置しやすい、金属製の線材やプラスチック製の一体成形品からなるいわゆるメッシュフェンスが広く普及している。
【０００３】
一般的な金属製のメッシュフェンスは、複数の縦線材及び複数の横線材を格子状に組み合わせて形成されたものである。またプラスチック製のメッシュフェンスは複数の縦線材及び複数の横線材が格子を形成するように一体に成形されたものである。これらのメッシュフェンスは、素通しであるため、目隠しとしては機能しない。そこで、従来から、例えば、実用新案出願公開平２−９３４７３号公報（特許文献１）、特開２０１５−２１８４７７号公報（特許文献２）及び実用新案登録第３２０７２２９号公報（特許文献３）に記載のように、メッシュフェンスに装着して、目隠しをするための目隠し用部材が開発されている。
【先行技術文献】
【特許文献】
【０００４】
【特許文献１】実用新案出願公開平２−９３４７３号公報
【特許文献２】特開２０１５−２１８４７７号公報
【特許文献３】実用新案登録第３２０７２２９号公報
【発明の概要】
【発明が解決しようとする課題】
【０００５】
例えば、金属製のメッシュフェンスに使用される線材は、線径が３．５〜４．９ｍｍ程度のものが存在し、太さが様々である。またメッシュフェンスには、プラスチック製のものも存在する。そこで、目隠し用部材は、様々な太さの線材に対応しつつ、取り付けが容易であることが求められる。また、市販されている入手しやすい木材等を利用できれば、目隠しを安価に構成することができる。
【０００６】
実用新案出願公開平２−９３４７３号公報（特許文献１）に記載の目隠し用部材は、フェンスに対して取付具４を用いて固定する必要がある。そのため、目隠し用部材を固定するために金具及び工具が必要であり、固定作業の手間がかかる。
【０００７】
特開２０１５−２１８４７７号公報（特許文献２）に記載の目隠し用部材（フェンスカバー）は、フェンスカバー本体の裏面にねじ釘５で固定された複数の掛止具４を備えており、掛止具４を横線材に引っ掛けた上で、ねじ杆７を用いてフェンスカバーがフェンスから外れないようにしている。そのため、ねじ釘５及びねじ杆７を取り付けるための工具が必要である。また、複数の掛止具４の全ての位置と、フェンスの横線材の位置が合致したものを用意しないと横線材に固定できない浮いた掛止具４が発生してしまうため、フェンスカバー本体に対する複数の掛止具４の位置決めの手間が存在する。
【０００８】
実用新案登録第３２０７２２９号公報（特許文献３）に記載の目隠し用部材は、フェンスの上部と下部にアーチ状部分（胴縁部２ｂ，２ｃ）が存在するタイプのフェンスにのみ取り付け可能なものである。フェンスの上部と下部にアーチ状部分が存在しないフェンスには取り付けることができないため、汎用性が低い。
【０００９】
本発明の目的は、フェンスへの取り付けが容易であり、容易にフェンス用の目隠し構造を作成することが可能な長尺材ホルダを提供することにある。
【００１０】
本発明の他の目的は、フェンスの一部を構成する横線材の太さが異なる場合でも、取り付けることができ、しかも容易にフェンス用の目隠し構造を作成することが可能な長尺材ホルダを提供することにある。
【００１１】
本発明の更に他の目的は、長尺材ホルダを用いたフェンスの目隠し構造を提供することにある。
【課題を解決するための手段】
【００１２】
本発明の長尺材ホルダは、柱状または板状の長尺材をフェンスに固定し、フェンスの目隠しを作成するものである。長尺材ホルダは、柱状または板状の長尺材が貫通する長尺材貫通孔を有する周壁部と、周壁部の外側に設けられて、フェンスに含まれて横方向に延びる横線材に係止される係止構造を備えている。係止構造は、長尺材貫通孔が延びる方向に間隔をあけて配置されて正対する一対の係止部からなり、一対の係止部の一方が、横線材に係止されるようになっている。
【００１３】
なお本発明の長尺材ホルダの材質は任意であり、また本発明の長尺材ホルダを提供するフェンスの材質も任意である。フェンスは、金属製であっても、プラスチック製であっても、横方向に延びる横線材を含んでいればよい。フェンスの格子を構成する横線材及び縦線材がそれぞれ一体成形によって形成されているものでもよい。
【００１４】
本発明のように係止構造を構成したときに、一対の係止部の形状寸法が同じであれば、長尺状ホルダの方向性を問わずに、使用することができる。また一対の係止部の形状寸法を変えれば、２種類の横線材に対応可能である。
【００１５】
係止部は、周壁部の周方向に間隔をあけて配置され、横線材が挿入される開口を正面に備え且つ該開口に連通する線材貫通孔を備えた一対のフック部からなり、一対の係止部は、お互いのフック部の開口が長尺材貫通孔が延びる方向に対向しているようにすればよい。このようにすれば、一対のフック部によって横線材への取り付けが容易であり、また、横線材に長尺材ホルダを取り付けた状態において、長尺材ホルダが回転してしまうこともない。また、長尺材ホルダを上下ひっくり返すだけで、一対の係止部のいずれかを選択することができる。
【００１６】
一対の係止部の一方の係止部を構成する一対のフック部の線材貫通孔の直径寸法と、一対の係止部の他方の係止部を構成する一対のフック部の線材貫通孔の直径寸法とを異なるようにすることができる。例えば、一方の直径寸法を細い線材（例えば、線径が３．５〜４．０ｍｍ程度）に対応するようにして、他方の直径寸法を太い線材（例えば、線径が４．３〜４．９ｍｍ程度）に対応するようにすれば、使用する係止部を適宜選択することで、様々な太さの線材に対応することができる。
【００１７】
一対のフック部は、フック部の先端部に向かうに従って厚みが徐々に薄くなる形状を有していてもよい。このようにすることで、フック部の根本部分が折れにくいように強化しながら、線材が開口から線材貫通孔へ入り込みやすくなる。
【００１８】
長尺材は、どのようなものを用いてもよいが、長手方向と直交する断面形状が矩形状のものを利用することができる。この場合、周壁部は、長尺材貫通孔が延びる方向に対向し長尺材貫通孔を間に介して対向する第１及び第２の側壁部と、第１及び第２の側壁部を連結し且つ長尺材貫通孔を介して対向する第３及び第４の側壁部とを備え、一対の係止部は、第１の側壁部に一体に設けられているようにすればよい。また、この場合、一対の係止部は、それぞれ第１の側壁部の長尺材貫通孔が延びる方向の両端部に近接して配置されていればよい。
【００１９】
なお、長尺材は、どのようなものを用いてもよいが、本発明の場合、例えば、長尺材ホルダの長尺材貫通孔の寸法を断面形状が３０ｍｍ×４０ｍｍの野縁材に合わせれば、入手しやすい木材を長尺材として使用可能となる。
【００２０】
長尺材貫通孔を囲む第１の側壁部乃至第４の側壁部の内壁面には、それぞれ長尺材貫通孔が延びる方向の中央部を頂点領域として第１の側壁部乃至第４の側壁部の両端部に近付くように傾斜する一対の傾斜面がそれぞれ形成されていることが好ましい。このような傾斜面を形成すれば、長尺材貫通孔のどちらの方向から長尺材を挿入する場合でも、長尺材を挿入しやすく、また、挿入後は、中央部によって、四方から長尺材をしっかりと支持することができる。長尺材が木材である場合には、この構成により、木材の膨張・収縮にも対応しやすくなる。
【００２１】
また長尺材貫通孔を囲む第１の側壁部乃至第４の側壁部の内壁面の中央部には、それぞれ長尺材貫通孔の中心部に向かって突出し、且つ、長尺材貫通孔が延びる方向に延びる突状リブがそれぞれ形成されていてもよい。このような突状リブを設けると、長尺材の横断面形状の寸法にバラツキがあったり、また材料の膨張・収縮により横断面形状が変形しても、長尺材の挿入が可能になる。
【００２２】
上記のような長尺材ホルダを利用して、横方向に延びる複数本の横線材が上下方向に間隔をあけて配置されているフェンスの側面に沿って、横方向に所定の間隔をあけて複数本の柱状または板状の長尺材が上下方向に延びるように配置されてなるフェンスの目隠し構造を作成することができる。具体的には、フェンスに、１本の長尺材に対して上下方向に間隔をあけて、上述の長尺材ホルダを２つ配置し、２つの長尺材ホルダに長尺材を挿入する。これをフェンスに沿って、所望の数並べて、目隠し構造とすることができる。
【図面の簡単な説明】
【００２３】
【図１】本実施の形態の長尺材ホルダを利用してフェンスの目隠し構造を作成する様子を示す斜視図である。
【図２】本実施の形態の長尺材ホルダの詳細を示す図であり、（Ａ）は正面図、（Ｂ）は左側面図、（Ｃ）は右側面図、（Ｄ）は平面図、（Ｅ）は底面図、（Ｆ）は背面図である。
【図３】図２（Ｄ）に示したIII-III線断面図である。
【図４】図２（Ｄ）に示したIV-IV線断面図である。
【図５】図２（Ｂ）に示したVの円で囲った部分の拡大図である。
【図６】図２（Ｂ）に示したVIの円で囲った部分の拡大図である。
【図７】線径が太い線材からなるメッシュフェンスに目隠し構造を取り付けた状態を示す側面図である。
【図８】線径が細い線材からなるメッシュフェンスに目隠し構造を取り付けた状態を示す側面図である。
【発明を実施するための形態】
【００２４】
以下、図面を参照して、本発明の長尺材ホルダの実施の形態及びこの実施の形態の長尺状ホルダを用いたフェンスの目隠し構造の実施の形態を詳細に説明する。
【００２５】
図１は、本実施の形態の長尺材ホルダを利用してフェンスの目隠し構造１を作成する様子を示す斜視図である。目隠し構造１は、横方向に延びる複数本の横線材ＨＷが上下方向に間隔をあけて配置されているメッシュフェンスＦの側面に沿って、横方向に所定の間隔をあけて複数本の柱状の長尺材３が上下方向に延びるように配置されてなる。メッシュフェンスＦには、１本の長尺材３に対して、上下方向に間隔をあけて、長尺材ホルダ５，５が２つ配置されており、２つの長尺材ホルダ５，５に長尺材３が挿入されている。なお、図１では、１組の長尺材３と、長尺材ホルダ５，５にのみ符号を付して、他は省略している。
【００２６】
［長尺材］
本実施の形態では、長尺材３として、断面形状が３０ｍｍ×４０ｍｍである野縁材を用いている。野縁材は、主に木造建築物の天井板を張るための下地に使われる木材であり、ホームセンター等で比較的入手しやすいものである。
【００２７】
［長尺材ホルダ］
＜周壁部＞
図２は、本実施の形態の長尺材ホルダの詳細を示す図であり、（Ａ）は正面図、（Ｂ）は左側面図、（Ｃ）は右側面図、（Ｄ）は平面図、（Ｅ）は底面図、（Ｆ）は背面図であり、図３は、III-III線断面図、図４は、IV-IV線断面図である。
【００２８】
長尺材ホルダ５は、周壁部７と、係止構造９とを備えて、ポリプロピレン（樹脂材料）により一体成形されたものである。周壁部７は、長尺材３が貫通する長尺材貫通孔１１を有するものであり、長尺材貫通孔１１が延びる方向に対向し長尺材貫通孔１１を間に介して対向する第１及び第２の側壁部１３，１５と、第１及び第２の側壁部１３，１５を連結し且つ長尺材貫通孔１１を介して対向する第３及び第４の側壁部１７，１９とを備えている。
【００２９】
図３及び図４に示されているように、第１の側壁部乃至第４の側壁部１３〜１９の内壁面には、長尺材貫通孔１１が延びる方向の中央部を頂点領域（１３Ａ〜１９Ａ）として第１の側壁部乃至第４の側壁部の両端部に近付くように傾斜する一対の傾斜面（１３Ｂ，１３Ｃ〜１９Ｂ，１９Ｃ）がそれぞれ形成されている。さらに、長尺材貫通孔１１を囲む第１の側壁部乃至第４の側壁部１３〜１９の内壁面の中央部には、それぞれ長尺材貫通孔１１の中心部に向かって突出し、且つ、長尺材貫通孔１１が延びる方向に延びる突状リブ１３Ｄ〜１９Ｄがそれぞれ形成されている。このように構成されているため、長尺材貫通孔１１の両開口部は中央部に比べて広く構成されており、長尺材貫通孔１１に長尺材３を挿入しやすく、また、挿入後は、中央部の頂点領域１３Ａ〜１９Ａ及び突状リブ１３Ｄ〜１９Ｄによって、四方から長尺材３をしっかりと支持することができる。
【００３０】
＜係止構造＞
係止構造９は、長尺材貫通孔が延びる方向に間隔をあけて配置されて正対する一対の係止部２１，２３からなっている。さらに、係止部２１は、一対のフック部２５，２７からなり、係止部２３は、一対のフック部２９，３１からなっている。フック部２５とフック部２７は同形状をしており、周壁部７の周方向に間隔をあけて配置され、横線材ＨＷが挿入される開口２５Ａ，２７Ａを正面に備え且つ該開口２５Ａ，２７Ａに連通する線材貫通孔２５Ｂ，２７Ｂを備えている。フック部２９とフック部３１も同形状をしており、同様に、周壁部７の周方向に間隔をあけて配置され、横線材ＨＷが挿入される開口２９Ａ，３１Ａを正面に備え且つ該開口２９Ａ，３１Ａに連通する線材貫通孔２９Ｂ，３１Ｂを備えている。
【００３１】
図５は、図２（Ｂ）に示したVの円で囲った部分、すなわち、フック部２５の拡大図であり、図６は、図２（Ｂ）に示したVIの円で囲った部分、すなわち、フック部２９の拡大図である。
【００３２】
フック部２５は、太い線材（線径が４．３〜４．９ｍｍ程度）に対応する方であり、フック部２５の外周面を構成する円弧の曲率半径Ｒ１の仮想中心点ＩＣ１が、内周面を構成する円弧の曲率半径Ｒ２の仮想中心点ＩＣ２よりも図５の紙面における上方向にずれた位置にくるように構成されている。このことにより、フック部２５は、フック部２５の先端部に向かうに従って厚みが徐々に薄くなる形状になっており、フック部２５の根本部分が折れにくいように強化しながら、横線材ＨＷが開口２５Ａから線材貫通孔２５Ｂへ入り込みやすくなっている。開口２５Ａは、最小径の４．３ｍｍよりもわずかに小さく開口しており、また、線材貫通孔２５Ｂの直径寸法は、最大径の４．９ｍｍよりわずかに大きくなっている。横線材ＨＷを挿入するとフック部２５がわずかに変形して横線材ＨＷが線材貫通孔２５Ｂへ入り込み、横線材ＨＷは簡単には抜けなくなる。
【００３３】
フック部２９は、細い線材（線径が３．５〜４．０ｍｍ程度）に対応する方であり、フック２９の外周面を構成する円弧の曲率半径Ｒ３の仮想中心点と、内周面を構成する円弧の曲率半径Ｒ４の仮想中心点が同じ仮想中心点ＩＣ３となるように構成されている。開口２９Ａは、最小径の３．５ｍｍよりもわずかに小さく開口しており、また、線材貫通孔２９Ｂの直径寸法は、最大径の４．０ｍｍよりわずかに大きくなっている。横線材ＨＷを挿入するとフック部２９がわずかに変形して横線材ＨＷが線材貫通孔２９Ｂへ入り込み、横線材ＨＷは簡単には抜けなくなる。
【００３４】
フック部２５の方の形状を先端部に向かうに従って厚みが徐々に薄くなる形状としているのは、横線材ＨＷを開口に挿入する際に、根本部分にかかる応力がフック部２９よりも大きいことを考慮しているためである。
【００３５】
［目隠し構造］
目隠し構造１を構成する際には、横線材ＨＷの太さに合わせて、いずれの係止部を利用するかを決定し、利用する方の係止部が上にくるようにして、上下方向に間隔をあけて長尺材ホルダ５を２つ配置する。それから、２つの長尺材ホルダ５の長尺材貫通孔１１に長尺材５を通過させて、フェンスに長尺材５を固定する。
【００３６】
図７は、線径が太い線材からなるメッシュフェンスＦに目隠し構造１を取り付けた状態を示す側面図である。長尺材ホルダ５の係止部２１（一対のフック部２５，２７）を利用して横線材ＨＷに長尺材ホルダ５を固定している。
【００３７】
図８は、線径が細い線材からなるメッシュフェンスＦに目隠し構造１を取り付けた状態を示す側面図である。上下をひっくり返して、長尺材ホルダ５の係止部２３（一対のフック部２９，３１）を利用して横線材ＨＷに長尺材ホルダ５を固定している。
【００３８】
以上、本発明の実施の形態について具体的に説明したが、本発明はこれらの実施の形態に限定されるものではなく、本発明の技術的思想の範囲内で変更が可能であるのは勿論である。
【００３９】
例えば、上述の数値は一例であり、適宜変更は可能である。例えば、長尺材として野縁材だけでなく、他の寸法の材木や、他の規格の材木を使用してもよい。また、所望の板材の形状に合わせて長尺材ホルダ５の形状を決定するようにしてもよい。
【産業上の利用可能性】
【００４０】
本発明によれば、様々な太さの線材に対応しつつ、取り付けが容易であり、容易にフェンス用の目隠しを作成することが可能な長尺材ホルダを提供することができる。また、該長尺材ホルダを用いたフェンスの目隠し構造を提供することができる。
【符号の説明】
【００４１】
１  目隠し構造
３  長尺材
５  長尺材ホルダ
７  周壁部
９  係止構造
１１  長尺材貫通孔
１３  第１の側壁部
１３Ａ  頂点領域
１３Ｂ，１３Ｃ  一対の傾斜面
１５  第２の側壁部
１５Ａ  頂点領域
１５Ｂ，１５Ｃ  一対の傾斜面
１７  第３の側壁部
１７Ａ  頂点領域
１７Ｂ，１７Ｃ  一対の傾斜面
１９  第４の側壁部
１９Ａ  頂点領域
１９Ｂ，１９Ｃ  一対の傾斜面
２１  係止部
２５，２７  フック部
２５Ａ，２７Ａ  開口
２５Ｂ，２７Ｂ  線材貫通孔
２３  係止部
２９，３１  フック部
２９Ａ，３１Ａ  開口
２９Ｂ，３１Ｂ  線材貫通孔
【図１】
2018204217.tif 000003
【図２】
2018204217.tif 000004
【図３】
2018204217.tif 000005
【図４】
2018204217.tif 000006
【図５】
2018204217.tif 000007
【図６】
2018204217.tif 000008
【図７】
2018204217.tif 000009
【図８】
2018204217.tif 000010